(57)【要約】【課題】  ろ過により閉塞した分離膜ユニットを洗浄する方法において、大きなタンクを必要とせず、自動化にも容易な方法を提供する。【解決手段】  被処理液槽内に浸漬された分離膜ユニットに、薬液の濃厚溶液を希釈水で希釈した洗浄液を、ろ液側から通液して洗浄する方法であって、２種類以上の濃厚溶液をそれぞれ別の薬液タンクに貯留し、切り替え弁により２種類以上の洗浄液を順次通液する分離膜ユニットの洗浄方法は、大きなタンクを必要とせず、自動化にも容易であると共に、効果的に分離膜ユニットを洗浄することができる。【選択図】  図１
2005193132.tif 000002
【特許請求の範囲】
【請求項１】
被処理液槽内に浸漬された分離膜ユニットに、薬液の濃厚溶液を希釈水で希釈した洗浄液を、ろ液側から通液して洗浄する方法であって、２種類以上の濃厚溶液をそれぞれ別の薬液タンクに貯留し、切り替え弁により２種類以上の洗浄液を順次通液する分離膜ユニットの洗浄方法。
【発明の詳細な説明】
【技術分野】
【０００１】
本発明は、被処理液槽内に浸漬された分離膜ユニットを用いて被処理液をろ過した際に、ろ過により閉塞した分離膜ユニットを洗浄する方法に関する。
【背景技術】
【０００２】
複数の分離膜を一体化した分離膜ユニットは、無菌水、飲料水、高純度水等の製造装置や、空気の浄化装置に用いられてきた。これらの用途に加えて、近年では、汚濁性の高い液体の処理に、この分離膜ユニットが用いられている。汚濁性の高い液体の処理とは、具体的には、下水処理における二次処理および三次処理やその浄化槽における固液分離等があげられる。
【０００３】
この分離膜ユニットにおいてろ過を継続すると、濁質、有機性物質、無機物質等により閉塞し、ろ過効率が低下してくるので、膜を洗浄し、その能力を回復させている。
洗浄の方法としては、分離膜ユニットをばっ気槽から取り出し、薬液に浸漬する系外洗浄、および、分離膜ユニットを浸漬したままろ液側から薬液を通液するインライン洗浄とがある。
【０００４】
系外洗浄は、洗浄効果が高いが分離膜ユニットを系外に取り出さなければならないため、分離膜ユニットの移動、配管の取り外しなどがある上、分離膜ユニットごと浸漬するので薬液の量も多くなる。インライン洗浄は、浸漬薬洗と比較し効果はやや劣るが、分離膜ユニットを引き出す必要がないので作業も軽微である。処理規模や装置特性等により、薬洗方法が適宜選択される。また、数回インライン薬洗を行った後、浸漬薬洗を行うように組み合わされることもある。
【０００５】
薬液としては、有機性物質の閉塞に対しては、１００〜５０００ｍｇ／Ｌ程度の次亜塩素酸ナトリウム水溶液等、無機性物質の閉塞に対しては、０．１〜１Ｎ程度の塩酸、硫酸、０．２〜２％程度のシュウ酸、クエン酸等の酸性物質の水溶液等が使用される。
【０００６】
通常薬液は、別に設けた槽内に使用濃度まで希釈した後、分離膜ユニットに通液される。しかしながらこの方法であると、小さくとも1回分の薬液を調整する容量のタンクが必要になる。膜面積の大きな分離膜ユニットでは、非常に大きなものとなってしまう。複数回分の薬液を調整することはさらに困難となる。また、低濃度では薬液の保存安定性がよくないため、その都度、薬液の希釈液を作らなければならない。このため自動化は困難となる。
【０００７】
また、次亜塩素酸ナトリウム溶液と塩酸溶液のように２種類の薬剤を使用して洗浄する場合は、これらの液が混合すると有毒な塩素ガスが発生してしまうので、これらの液が極力混合しないように操作をすることが好ましい。このため、従来の方法では、それぞれ別に希釈溶液をタンクに調整するか、1つのタンクで複数の液を併用する必要がある。前者の場合、大きなタンクを２つ用意しなければならなくなる。また、後者のように１つのタンクを併用しようとすると切り替え時に溶液の脱液、洗浄などの作業を要し、非常に効率が悪く、自動洗浄などには不向きである。
【特許文献１】特開平８−２５２４３８号公報
【特許文献２】特開平９−７５６８９号公報
【発明の開示】
【発明が解決しようとする課題】
【０００８】
本発明は、前記事情に鑑みてなされたもので、分離膜ユニットを被処理液槽内に浸漬し、ろ液側から吸引して、被処理液をろ過し、ろ過により閉塞した分離膜ユニットを洗浄する方法において、大きなタンクを必要とせず、自動化にも容易な方法を提供することを目的とする。
【課題を解決するための手段】
【０００９】
即ち本発明の要旨は、被処理液槽内に浸漬された分離膜ユニットに、薬液の濃厚溶液を希釈水で希釈した洗浄液を、ろ液側から通液して洗浄する方法であって、２種類以上の濃厚溶液をそれぞれ別の薬液タンクに貯留し、切り替え弁により２種類以上の洗浄液を順次通液する分離膜ユニットの洗浄方法である。
【発明の効果】
【００１０】
本発明によれば、分離膜ユニットを被処理液槽内に浸漬し、ろ液側から吸引して、被処理液をろ過し、このろ過により閉塞した分離膜ユニットを洗浄する方法において、大きなタンクを必要とせず、自動化にも容易な方法を提供することができる。
【発明を実施するための最良の形態】
【００１１】
図１は、本発明の分離膜ユニットの洗浄を実施するのに好適なろ過装置の例を示すものである。この例のろ過装置は被処理液槽１とこの被処理液槽内に設置された分離膜ユニット２とこの分離膜ユニットと接続されたろ過ポンプ６と第１濃厚薬液タンク４、第２濃厚薬液タンク５、およびこれらを送液するポンプ９、１０と希釈水タンク３と希釈水を送液するポンプ１２および濃厚薬液と希釈水を混合するためのインラインミキサー１１、および洗浄液を切り替えるための開閉弁Ｖ1〜Ｖ５から構成されたものである。
【００１２】
送液ポンプ９、１０、１２は、薬液濃度を制御するため定量ポンプが望ましいが、ポンプの突出側に定流量弁を設けてもよい。濃厚薬液タンク４、５の容量は、１回の薬液使用量と何回分を貯留するかによって決定される。濃厚薬液タンク４、５には、薬液の原液を貯留してもよいし、使用しやすい濃度に希釈してもよい。また、洗浄薬品が紛体で市販されているものは、濃厚薬液タンク内で溶解することも可能である。この場合は、攪拌装置やばっ気設備を取り付けることも可能である。希釈水タンク３は１回分の使用量があればよい。また、希釈水を処理水で行わず、水道水等で行う場合は、図２の形態例のように希釈水タンクは省略することができる。この場合、希釈水側に定流量弁を設ければ、希釈水送液ポンプも不要となる。
【００１３】
また、上述の開閉弁を電動にすることにより、自動薬洗が可能となる。
また、薬洗中各ポンプの流量を調整することにより、薬洗中に洗浄液濃度や送液速度を変動させることも可能である。
また、薬液ライン、希釈水ラインにエア抜き弁を設けることにより分離膜ユニットへのエアの流入を防ぐことも可能である。
【００１４】
通常のろ過運転は、開閉弁Ｖ１のみを開状態とし、開閉弁Ｖ２〜Ｖ５を閉状態としている。
第１濃厚薬液を用いた洗浄は、ろ過ポンプ６を停止し、開閉弁Ｖ１を閉状態とし、ついで開閉弁Ｖ３、Ｖ４、Ｖ５を開状態とし、第１濃厚薬液送液ポンプと希釈水送液ポンプを稼動させ、所定時間送液することにより行う。このときインラインミキサー１１により濃厚薬液と希釈水が均一に混合・希釈される。送液中はブロアを停止することが望ましい。第１濃厚薬液ポンプ９を停止し、開閉弁Ｖ３を閉状態とし希釈水のみを通液すると配管中や膜内に残った洗浄液を被処理水中に押し出すことができるのでろ過開始直後から良好な処理水を得ることができる。
【００１５】
第１濃厚薬液ポンプ９を停止した後、開閉弁Ｖ３を閉状態とし希釈水のみを通液すると配管中や膜内に残った薬液を被処理水中に押し出すことができる。ついで開閉弁Ｖ２を開状態にし、第２濃厚薬液送液ポンプ１０を所定時間稼動させる。ラインミキサー１１、配管や膜分離ユニット２内は、希釈水で満たされているので、次亜塩素酸ナトリウムと塩酸の混合は極わずかである。第２濃厚薬液送液ポンプ１０停止後、開閉弁Ｖ２を閉状態とし、希釈水のみを送液すると、配管内や分離膜ユニット２内の塩酸希釈液が押し出されるので、ろ過開始直後から良好な処理水を得ることができる。希釈水送液ポンプ１２を停止し、開閉弁Ｖ４、Ｖ５を閉状態とし、ブロア７の運転を再開し、開閉弁Ｖ１を開状態としてからろ過ポンプ６を稼動し、通常運転を再開する。
【００１６】
また、薬液との接触時間を保持したい場合は、濃厚薬液送液ポンプ９、１０停止とほぼ同時に希釈水送液ポンプ１２を停止し、所定時間後希釈水送液ポンプ１２を再稼動させることができる。
【図面の簡単な説明】
【００１７】
【図１】本発明の洗浄方法の一例を示すフロー図である。
【図２】本発明の洗浄方法の別の一例を示すフロー図である。
【図３】従来の洗浄方法を示すフロー図である。
【符号の説明】
【００１８】
１    被処理液槽
２    分離膜ユニット
３    希釈水タンク
４    第1濃厚薬液タンク
５    第2濃厚薬液タンク
６    ろ過ポンプ
７    ブロア
８    散気管
９    第１濃厚薬液送液ポンプ
１０  第２濃厚薬液送液ポンプ
１１  インラインミキサー
１２  希釈水送液ポンプ
１３  薬液タンク
【図１】
2005193132.tif 000003
【図２】
2005193132.tif 000004
【図３】
2005193132.tif 000005